(57)【要約】【課題】  箸を取り出す際に、箸袋から箸が不意に滑り落ち、床に落としてしまったり、一緒に収納されている爪楊枝により指先を傷つけたりすることを防止し、困難な切り欠き部分を探す手間が不要な箸袋を提供すること。【解決手段】  箸袋の長手方向の一辺又は二辺に切り込みを設け、当該切り込みを設けた位置が箸袋に収納された箸の端部に対応する位置よりも中央寄りで、かつ、当該切れ込の大きさが、使用者が箸袋の端部を長手方向への引っ張ることによりその部分から箸袋が破断する大きさとすることにより、使用者が、箸袋の一端を摘み、当該端部を縦方向、箸袋本体とは反対方向に引っ張ることにより、箸袋が箸の端部を露出させた状態に破断するようにした。【選択図】    図１
0003108999.tif 000002
【実用新案登録請求の範囲】
【請求項１】
袋本体内に箸を収納してなる箸袋において、袋の長手方向の一辺又は二辺に切れ込みを設け、当該切れ込みを設けた位置が箸袋に収納された箸の端部に対応する位置よりも中央寄りで、かつ、当該切れ込の大きさが、使用者が箸袋の端部を長手方向への引っ張ることによりその部分から箸袋が破断する大きさであることを特徴とする箸袋
【請求項２】
袋本体内に箸を収納してなる箸袋において、袋の長手方向の一辺から他方の辺に向けて、袋に間欠的に切り込みを設け、かつ、当該切り込みは切箸袋に収納された箸の端部に対応する位置よりも中央寄りであることを特徴とする箸袋
【考案の詳細な説明】
【技術分野】
【０００１】
本考案は、袋本体に箸が収納された箸袋に関する。
【背景技術】
【０００２】
駅やコンビニエンスストアでは、弁当などを販売する際に、袋入りの割り箸が配布されている。一般に、この箸を収納している箸袋は紙又はプラスチックフィルム製で、その中に箸が裸で収納されて、時には、箸とともに爪楊枝が一緒に収納されている。
【特許文献１】特開２０００−２２６０８５号公報
【特許文献２】特開２００２−１４５３７０号公報
【考案の開示】
【考案が解決しようとする課題】
【０００３】
ところで、箸袋から箸を取り出すとき、使用者は、箸袋の長手方向（以下「縦方向」という）の辺の一部をつまみ、それを長手方向と略垂直（以下「横方向」という）に引き裂くようにして、箸袋の一端を開口させ（以下、この部分を「開口部」という）、開口部をやや下向きにして滑り出した箸の端部付近を摘んで箸を取り出していた。
【０００４】
そのため、開口部をやや下向きにした時に、箸袋から箸が不意に滑り落ち、床に落としてしまったり、一緒に収納されている爪楊枝により指先を傷つけたりして危険であった。
【０００５】
また、箸袋を横方向に引き裂くためには、箸袋の長手方向の辺に設けられた切り欠き部分近くを摘む必要があるが、老人や子供には、この切り欠き部分を探すのが困難であった。
【課題を解決するための手段】
【０００６】
そこで、本考案は、箸袋を横方向に切り裂くのではなく、使用者が、箸袋の一端を摘み、当該端部を縦方向、箸袋本体とは反対方向に引っ張ることにより、箸袋が箸の端部を露出させた状態に破断するようにしたことを特徴とする。
【０００７】
請求項１記載の考案は、箸袋の長手方向の一辺又は二辺に切り込みを設け、当該切り込みを設けた位置が箸袋に収納された箸の端部に対応する位置よりも中央寄りで、かつ、当該切れ込の大きさが、使用者が箸袋の端部を長手方向への引っ張ることによりその部分から箸袋が破断する大きさであることを特徴とする。
【０００８】
切り込みの大きさは、箸袋に使用される材料等により適宜選択され、その形状は、箸袋の一端を引っ張ることにより箸袋にかかる引っ張り応力が集中し易い三角形や斜め４５度の角度となったものが好ましいが、これに限定されるものではない。
【０００９】
各辺に設けられる切り込みの数は、箸袋に使用される材料等により適宜選択され、約２cm離して２個設けることが望ましいが、十分大きな切り込みが形成可能であれば１個でも良く、無論複数個との切り込みを設けてもよい。
【００１０】
請求項２記載の考案は、袋の長手方向の一辺から他方の辺に向けて間欠的に袋に切り込みを設け、かつ、当該切り込みは箸袋に収納された箸の端部に対応する位置よりも中央寄りであることを特徴とする。
【００１１】
間欠的な切り込みの大きさ、個数及びその間隔は、箸袋に使用される材料等により適宜選択され、ミシン目などでもよいし、箸袋の中央に十字の切り込みを一つ設けたものなどでもよい。
【００１２】
請求項１及び請求項２記載の考案において、切り込みの位置は、箸袋の約１／３の位置であることが望ましいが、これに限定されるものではなく、箸袋が破断した時に、箸の端部を指でつまめる箸が露出する位置であればよい。
【００１３】
また、切り込みの位置は、収納された箸の根本側（箸を使用する際に手で保持する側）であることが、衛生上また取り出し易さの観点から望ましいが、これに限定されるものではない。
【００１４】
さらに、箸袋を収納された箸や爪楊枝に密着させた構造とすることにより、箸や爪楊枝が運搬中に動き、箸袋を破断させることが防止できる。
【考案の効果】
【００１５】
本考案の構造を採用することにより、箸袋を破く際、使用者は、箸袋の一端を摘んで長手方向に引っ張るだけで、箸袋の長手方向に設けられた切り込みから袋が破断するから、使用者は、箸袋の何処に切り込みが設けられているかを探す必要がない。
【００１６】
また、切り込みを設けた位置が、箸袋に収納された箸の端部に対応する位置よりも中央寄りであるため、切り込みから箸袋が破断した際、開口部から箸の一端が露出した状態となり、開口部を下向きにすることなく箸を摘み出すことができ、箸袋から箸が不意に滑り落ち床に落としてしまったり、一緒に収納されている爪楊枝により指先を傷つけたりすることがない。
【実施例】
【００１７】
（実施例１）図１は、請求項１記載の考案の実施例であり、箸袋（１）の長手方向の両辺に三角形の切り欠き状の切り込み（４）を設けたものである。
【００１８】
箸袋（１）の長手方向の両辺に切り込みを設ける場合、切り込み（４）の大きさを同程度のものにし、ほぼ対向する位置に設けることが好ましいが、一方からの破断を優先させるために、一方の切り込みを大きくしたり、その位置をずらしてもよい。
【００１９】
箸袋の端部（Ｂ）の部分を指で摘み、当該端部（Ｂ）を縦方向の箸袋本体（Ａ）とは反対側（図１では右方向）に引っ張ると、切り込み（４）から破断が進行し、箸袋の端部（Ｂ）が箸袋の本体（Ａ）から離脱する。
【００２０】
図２は、図１から上記のように端部（Ｂ）が離脱した状態を示した平面図であり、切り込み（４）が収納されている箸の端部（Ｃ）よりも、箸袋の中央側に設けられているため、端部（Ｂ）が離脱すると、箸の端部（Ｃ）が露出し、容易に箸をつまみ出すことができる。
【００２１】
（実施例２）図３は、請求項１記載の考案の別の実施例であり、切り込みを各辺に２箇所ずつ設けたものである。
【００２２】
（実施例３）図４は、請求項２記載の考案の実施例であり、袋に一部に間欠的に切り込みを設けたものである。
【図面の簡単な説明】
【００２３】
【図１】請求項１記載の考案の実施例の平面図
【図２】図１の実施例において、箸袋の端部（Ｂ）を引っ張って、端部（Ｂ）離脱させた時の平面図
【図３】請求項１記載の考案の別の実施例の平面図
【図４】請求項２記載の考案の実施例の平面図
【符号の説明】
【００２４】
１               箸袋
２               箸
３               爪楊枝
４               切り込み
Ａ              箸袋本体
Ｂ               端部
Ｃ               箸の端部
【図１】
0003108999.tif 000003
【図２】
0003108999.tif 000004
【図３】
0003108999.tif 000005
【図４】
0003108999.tif 000006